(57)【要約】【課題】  携帯時のスタイルの自由度を増大することができる携帯機を提供する。【解決手段】  携帯機１０は、ユーザの身体に装着可能なホルダ部１３と、ホルダ部１３に対して着脱自在な通信ユニット１１とを備えている。【選択図】      図１
2007063818.tif 000002
【特許請求の範囲】
【請求項１】
ユーザの身体に装着可能なホルダ部と、該ホルダ部に対して着脱自在な通信ユニットとを備えたことを特徴とする携帯機。
【請求項２】
請求項１に記載の携帯機において、
前記ホルダ部は、弾性材からなり、前記通信ユニットが内挿される収容凹部及び該内挿された通信ユニットを抜け止めする係止部を有していることを特徴とする携帯機。
【請求項３】
請求項２に記載の携帯機において、
前記通信ユニットは、ユーザの人体に接触する電極を有し、人体を媒体とする生体通信を行うことを特徴とする携帯機。
【請求項４】
請求項１に記載の携帯機において、
前記通信ユニットは、ユニット側係合片を有し、
前記ホルダ部は、前記ユニット側係合片が挿通されるホルダ側係合孔を有し、
前記通信ユニットは、前記ホルダ側係合孔及び該ホルダ側係合孔に挿通された前記ユニット側係合片間の相対回動に伴い該ユニット側係合片が前記ホルダ側係合孔の周縁部に係止されて、前記ホルダ部から抜け止めされることを特徴とする携帯機。
【請求項５】
請求項４に記載の携帯機において、
前記ユニット側係合片は電極であり、
前記ホルダ部は、導体からなり、前記ユニット側係合片が前記ホルダ側係合孔の周縁部に係止されることで前記電極に短絡されており、
前記通信ユニットは、ユーザの人体に前記電極又は前記ホルダ部が接触することで、人体を媒体とする生体通信を行うことを特徴とする携帯機。
【請求項６】
請求項１〜５のいずれか１項に記載の携帯機において、
前記通信ユニットの外面に対して着脱自在な装飾部を備えたことを特徴とする携帯機。
【発明の詳細な説明】
【技術分野】
【０００１】
本発明は、通信機能を有する携帯機に関するものである。
【背景技術】
【０００２】
近年、身体に装着される携帯機と相手側の通信装置との間で、人体を流れる微小電流により人体を媒体として通信を行う生体通信を利用した通信システムが提案されている（例えば特許文献１など）。この種の通信システムに使用される携帯機は、外面に露出する電極を有する通信ユニットを備えており、ユーザの人体にその電極が接触するように装着される。そして、ユーザがその携帯機を装着した状態で、相手側の通信装置の電極に接触することにより、様々な制御を行うことが可能である。例えば、自動車のキーレスエントリシステムにおいて、車体に設けられる相手側の通信装置の電極に接触することで、ＩＤコードの照合によりドアロックの解除等を行うことが提案されている。
【特許文献１】特開２００３−１８８８３３号公報
【発明の開示】
【発明が解決しようとする課題】
【０００３】
ところで、こうした携帯機は、通信ユニットの電極を人体に確実に接触させるべく、人体としての前腕部に装着可能なベルト状のホルダ部に通信ユニットを固着した、腕時計型に限定されている。従って、このような腕時計型の携帯機では、身体への装着位置や意匠が一様であるために、例えば携帯時のユーザの服装に合わせてこれら装着位置や意匠を選択・変更するといったスタイルの自由度がなかった。特に、ユーザによっては、当該装着位置（前腕部）に常に接触するもの（携帯機）を身に着けることを嫌ったり、身に着けることに制約を受けることがあったりして、装着位置を自由に選択できる携帯機が望まれていた。
【０００４】
本発明の目的は、携帯時のスタイルの自由度を増大することができる携帯機を提供することにある。
【課題を解決するための手段】
【０００５】
上記問題点を解決するために、請求項１に記載の発明は、ユーザの身体に装着可能なホルダ部と、該ホルダ部に対して着脱自在な通信ユニットとを備えたことを要旨とする。
同構成によれば、例えば、前記ホルダ部として、身体への装着位置や意匠の異なる各種タイプのホルダ部を選択肢として予め用意しておき、ユーザにあっては選択したいずれか１つのタイプのホルダ部に前記通信ユニットを取着して携帯機として携帯し、あるいは当該ホルダ部から前記通信ユニットを取り外して他のタイプのホルダ部に該通信ユニットを取着して携帯機として携帯することで、携帯時のスタイルの自由度が増大される。
【０００６】
請求項２に記載の発明は、請求項１に記載の携帯機において、前記ホルダ部は、弾性材からなり、前記通信ユニットが内挿される収容凹部及び該内挿された通信ユニットを抜け止めする係止部を有していることを要旨とする。
【０００７】
同構成によれば、前記通信ユニットは、前記収容凹部に内挿されていることで、外部への露出が抑制される。このため、前記通信ユニットの外観形状を変更したとしても、携帯機としての意匠に及ぼす影響が低減されることになり、該通信ユニットの設計の自由度が増大される。また、前記収容凹部に内挿された通信ユニットは、前記係止部により抜け止めされることで前記ホルダ部からの脱落が防止される。さらに、前記通信ユニットは、前記ホルダ部（係止部）を弾性変形させることで、前記ホルダ部に対して簡単に着脱される。
【０００８】
請求項３に記載の発明は、請求項２に記載の携帯機において、前記通信ユニットは、ユーザの人体に接触する電極を有し、人体を媒体とする生体通信を行うことを要旨とする。
同構成によれば、前記電極を接触させるべく、ユーザの人体に密着して装着される携帯機（ホルダ部）の、携帯時のスタイルの自由度が増大される。
【０００９】
請求項４に記載の発明は、請求項１に記載の携帯機において、前記通信ユニットは、ユニット側係合片を有し、前記ホルダ部は、前記ユニット側係合片が挿通されるホルダ側係合孔を有し、前記通信ユニットは、前記ホルダ側係合孔及び該ホルダ側係合孔に挿通された前記ユニット側係合片間の相対回動に伴い該ユニット側係合片が前記ホルダ側係合孔の周縁部に係止されて、前記ホルダ部から抜け止めされることを要旨とする。
【００１０】
同構成によれば、前記通信ユニットは、前記ホルダ側係合孔及び該ホルダ側係合孔に挿通された前記ユニット側係合片間の相対回動に伴い該ユニット側係合片が前記ホルダ側係合孔の周縁部に係止されて、前記ホルダ部から抜け止めされることで前記ホルダ部からの脱落が防止される。このように、前記通信ユニットは、前記ホルダ部に対して簡単に着脱される。
【００１１】
請求項５に記載の発明は、請求項４に記載の携帯機において、前記ユニット側係合片は電極であり、前記ホルダ部は、導体からなり、前記ユニット側係合片が前記ホルダ側係合孔の周縁部に係止されることで前記電極に短絡されており、前記通信ユニットは、ユーザの人体に前記電極又は前記ホルダ部が接触することで、人体を媒体とする生体通信を行うことを要旨とする。
【００１２】
同構成によれば、前記電極又は該電極に短絡された前記ホルダ部を接触させるべく、ユーザの人体に密着して装着される携帯機（ホルダ部）の、携帯時のスタイルの自由度が増大される。
【００１３】
請求項６に記載の発明は、請求項１〜５のいずれか１項に記載の携帯機において、前記通信ユニットの外面に対して着脱自在な装飾部を備えたことを要旨とする。
同構成によれば、例えば、前記装飾部として、意匠の異なる装飾部を選択肢として予め用意しておき、ユーザにあっては選択したいずれか１つの意匠の装飾部を前記通信ユニットの外面に取着して携帯機として携帯し、あるいは当該通信ユニットの外面から前記装飾部を取り外して他の意匠の装飾部を該通信ユニットの外面に取着して携帯機として携帯することで、携帯時のスタイルの自由度が増大される。
【発明の効果】
【００１４】
以上詳述したように、請求項１乃至６に記載の発明では、携帯時のスタイルの自由度を増大することができる携帯機を提供することができる。
【発明を実施するための最良の形態】
【００１５】
（第１の実施形態）
以下、本発明を具体化した第１の実施形態について図面に従って説明する。図１は、本実施形態の携帯機１０を示す部分断面図である。この携帯機１０は、これを装着したユーザが、操作に係る相手側（以下、外部操作機器という）の通信装置の電極に接触することで、当該通信装置との間で人体を媒体とする周知の通信（生体通信）を行う。同図に示されるように、この携帯機１０は、通信ユニット１１と、装飾部としてのアクリル樹脂からなるオーナメント１２と、例えばエラストマなどの弾性材にてベルト状に形成されたホルダ部１３とを備えている。
【００１６】
図２は、前記通信ユニット１１を分解して示す斜視図である。同図では、便宜的に前記オーナメント１２を併せて図示している。同図に示されるように、樹脂材にて有蓋円筒状に形成されたアッパケース２１には、その開口側（図２の下側）に対向して同軸上に配置された樹脂材からなるミドルケース２２が結合されている。なお、ミドルケース２２は、上記アッパケース２１の外径と同等の外径を有する本体部２２ａを有しており、同本体部２２ａに載置される態様で前記アッパケース２１が軸方向に重ね合わされている。そして、これらアッパケース２１及びミドルケース２２間に形成される空間には、給電用の電池（図示省略）が収容される。つまり、この電池は、上記アッパケース２１及びミドルケース２２を分解することで、ユーザ自身で容易に交換できるようになっている。また、上記ミドルケース２２には、電池の収容空間から区画される態様で通信等に係る回路基板（図示省略）が収容される。
【００１７】
前記ミドルケース２２の一側端面（図２における下面）には、同軸上に配置された樹脂材からなるロアケース２３が結合されている。なお、ロアケース２３は、上記ミドルケース２２の外径よりも小さい外径を有している。従って、軸方向に重ね合わされたミドルケース２２及びロアケース２３間には、ミドルケース２２側で径方向に延出する環状の段差２５（図１参照）が形成されている。
【００１８】
前記ロアケース２３の一側端面（図２における下面）には、同軸上に配置されたステンレス材からなる電極２４が結合されている。なお、電極２４は、上記ロアケース２３の外径よりも小さい外径を有する円盤状に形成されている。
【００１９】
前記アッパケース２１の円形の外面２１ａには、前記オーナメント１２が載置されている。このオーナメント１２は、前記アッパケース２１の外径と同等の外径を有する外向フランジ１２ａを有して段付き円柱状に形成されている。
【００２０】
図１に示されるように、前記オーナメント１２の載置された通信ユニット１１は、前記ホルダ部１３に着脱自在に設けられている。すなわち、上記ホルダ部１３には、前記アッパケース２１等の外径と同等の内径を有する収容凹部１３ａが形成されている。この収容凹部１３ａは、アッパケース２１、ミドルケース２２の本体部２２ａ及びオーナメント１２の外向フランジ１２ａの各軸方向の長さを合計した長さと同等の軸方向の長さを有しており、その両開口端に内周側に環状に延出する係止部１３ｂ，１３ｃが形成されている。前記オーナメント１２の載置された通信ユニット１１は、一方の係止部１３ｃを弾性変形させつつ、前記収容凹部１３ａの一側（図１の下側）から挿入され、前記外向フランジ１２ａ及び前記段差２５がそれぞれ係止部１３ｂ，１３ｃに係止されることで、軸方向両側で抜け止めされる。このとき、前記電極２４は、ホルダ部１３から突出するように配置されている。
【００２１】
なお、このようにホルダ部１３に取着された通信ユニット１１等は、係止部１３ｃ（若しくは係止部１３ｂ）を弾性変形させつつ軸方向に押し出すことで容易にホルダ部１３から取り外される。このとき、前記通信ユニット１１に載置された前記オーナメント１２は、同通信ユニット１１から分離されることはいうまでもない。
【００２２】
上記構成をなす携帯機１０は、ユーザの前腕部にホルダ部１３が締められることで、同ホルダ部１３から突出する前記電極２４がユーザの人体に接触する。そして、このような携帯機１０を装着したユーザが、外部操作機器の通信装置の電極に接触すると、当該通信装置と前記通信ユニット１１との間で人体を媒体とする周知の通信（生体通信）が実現され、様々な制御が可能とされる。例えば、自動車のキーレスエントリシステムにおいて、車体に設けられる外部操作機器の通信装置の電極に接触することで、ＩＤコードの照合によりドアロックの解除等を行うことが可能とされる。
【００２３】
以上詳述したように、本実施形態によれば、以下に示す効果が得られるようになる。
（１）本実施形態では、例えば、前記ホルダ部１３として、身体への装着位置や意匠（形状、模様、色彩）の異なる各種タイプのホルダ部を選択肢として予め用意しておき、ユーザにあっては選択したいずれか１つのタイプのホルダ部に前記通信ユニット１１を取着して携帯機１０として携帯し、あるいは当該ホルダ部から前記通信ユニット１１を取り外して他のタイプのホルダ部に同通信ユニット１１を取着して携帯機１０として携帯することで、携帯時のスタイルの自由度を増大することができる。そして、携帯機１０（ホルダ部のタイプ）を、服装に合わせてアクセサリとして選択・交換することができる。
【００２４】
（２）本実施形態では、前記通信ユニット１１は、前記収容凹部１３ａに内挿されていることで、外部への露出が抑制される。このため、前記通信ユニット１１の外観形状を変更したとしても、携帯機１０としての意匠に及ぼす影響が低減されることになり、同通信ユニット１１の設計の自由度を増大することができる。また、前記収容凹部１３ａに内挿された通信ユニット１１は、前記係止部１３ｂ，１３ｃにより抜け止めされることで前記ホルダ部１３からの脱落を防止することができる。また、前記通信ユニットは、前記ホルダ部１３（係止部１３ｂ又は１３ｃ）を弾性変形させることで、前記ホルダ部１３に対して簡単に着脱することができる。
【００２５】
（３）本実施形態では、前記電極２４を接触させるべく、ユーザの人体に密着して装着される携帯機１０（ホルダ部１３）において、その携帯時のスタイルの自由度を増大することができる。
【００２６】
（４）本実施形態では、例えば、前記オーナメント１２として、意匠の異なるオーナメントを選択肢として予め用意しておき、ユーザにあっては選択したいずれか１つの意匠のオーナメントを前記通信ユニット１１（アッパケース２１）の外面２１ａに取着して携帯機１０として携帯し、あるいは当該通信ユニット１１の外面２１ａからオーナメントを取り外して他の意匠のオーナメントを同通信ユニット１１の外面２１ａに取着して携帯機１０として携帯することで、携帯時のスタイルの自由度を増大することができる。そして、携帯機１０（オーナメントの意匠）を、服装に合わせてアクセサリとして選択・交換することができる。
【００２７】
（５）本実施形態では、通信ユニット１１が着脱可能なホルダ部１３であれば、携帯機１０としての意匠変更を容易に行うことができる。例えば、オーナメント１２に納入先の自動車メーカの商標が描画される場合であっても、各自動車メーカ向けのオーナメント１２を予め用意しておくことで、容易に対応することができる。
【００２８】
（６）本実施形態では、通信ユニット１１、オーナメント１２及びホルダ部１３のいずれかが損傷したとしても、当該損傷した部品のみの交換で対応できるため、メインテナンス性を向上させることができる。
【００２９】
（第２の実施形態）
以下、本発明を具体化した第２の実施形態について図面に従って説明する。なお、第２の実施形態は、主として携帯機を構成する通信ユニット及びホルダ部の着脱構造を変更した構成であるため、同様の部分についてはその詳細な説明は省略する。
【００３０】
図３（ａ）（ｂ）は、本実施形態の携帯機３０を示す正面図及び平面図である。同図に示されるように、この携帯機３０は、通信ユニット３１と、装飾部としてのアクリル樹脂からなるオーナメント３２と、例えばステンレスなどの導体にてブレスレット状に形成されたホルダ部３３とを備えている。なお、図３（ｂ）では、便宜的にホルダ部３３以外を2点鎖線にて描画している。
【００３１】
図４は、前記通信ユニット３１を分解して示す斜視図である。同図では、便宜的に前記オーナメント３２を併せて図示している。同図に示されるように、樹脂材にて有蓋円筒状に形成されたアッパケース４１には、その開口側（図４の下側）に対向して同軸上に配置された樹脂材からなるミドルケース４２が結合されている。なお、ミドルケース４２は、上記アッパケース４１の外径と同等の外径を有する本体部４２ａを有しており、同本体部４２ａに載置される態様で前記アッパケース４１が軸方向に重ね合わされている。これらアッパケース４１及びミドルケース４２間に形成される空間に給電用の電池（図示省略）が収容されることは前記第１の実施形態と同様である。また、上記ミドルケース４２には、通信等に係る回路基板（図示省略）が収容される。
【００３２】
前記ミドルケース４２の一側端面（図４における下面）には、同軸上に配置されたステンレス材からなるロアケース４３が結合されている。なお、ロアケース４３は、上記ミドルケース４２の外径よりも小さい外径を有しており、先端側で所定の径方向（図２の左右方向）両側に延出するつば状のユニット側係合片４３ａが形成されている。従って、ミドルケース４２及びロアケース４３が軸方向に重ね合わされることで、ミドルケース４２及びユニット側係合片４３ａ間に括れ部４４（図３（ａ）参照）が形成されている。このロアケース４３は、電極としての機能を併せ有している。
【００３３】
前記アッパケース４１には、その他側端面（図４における上面）から円形に凹設された凹部４１ａが形成されており、同凹部４１ａにはその内径及び軸方向の長さとそれぞれ同等の外径及び軸方向の長さを有する円柱状の前記オーナメント３２が嵌合されている。従って、このオーナメント３２は、凹部４１ａが形成するアッパケース４１の外面４１ｂに対して着脱自在となっている。
【００３４】
図３に示されるように、前記オーナメント３２の取着された通信ユニット３１は、前記ホルダ部３３に着脱自在に設けられている。すなわち、上記ホルダ部３３の長手方向中央部には、前記ロアケース４３のユニット側係合片４３ａが挿通可能なように所定の径方向（図３（ｂ）の上下方向）両側に拡幅されたホルダ側係合孔３３ａが形成されている。上記ユニット側係合片４３ａが上記ホルダ側係合孔３３ａに挿通されたときの前記括れ部４４の軸方向の位置は、上記ホルダ側係合孔３３ａの軸方向の位置に一致している。このホルダ側係合孔３３ａの上記所定の径方向に直交する径方向（図３（ｂ）の左右方向）の幅は、上記ユニット側係合片４３ａの幅よりも小さく設定されており、前記通信ユニット３１は、前記ホルダ側係合孔３３ａ及び同ホルダ側係合孔３３ａに挿通された前記ユニット側係合片４３ａ間で略９０度で相対回動されることで、ユニット側係合片４３ａが前記ホルダ側係合孔３３ａの周縁部に係止されて、前記ホルダ部３３から抜け止めされる。これらホルダ側係合孔３３ａ及びユニット側係合片４３ａ間での相対回動に際し、同ホルダ側係合孔３３ａは前記括れ部４４周りを回動することで通信ユニット３１と干渉することはない。そして、導体からなるホルダ部３３は、前記ロアケース４３（電極）に短絡される。なお、ホルダ側係合孔３３ａの周縁部は波形に曲成されて、前記ユニット側係合片４３ａを保持する弾性力を付与するようになっている。
【００３５】
このようにホルダ部３３に取着された通信ユニット３１は、ユニット側係合片４３ａが前記ホルダ側係合孔３３ａの周縁部に係止されない位置までこれらが相対回動されることで、容易にホルダ部３３から取り外される。
【００３６】
上記構成をなす携帯機３０は、ユーザの前腕部にホルダ部３３が締められることで、ロアケース４３又はホルダ部３３がユーザの人体に接触する。これにより、前記第１の実施形態に準じて人体を媒体とする通信（生体通信）が実現される。
【００３７】
ここで、上記通信ユニット３１が着脱自在な他のタイプのホルダ部について説明する。
図５（ａ）は、ステンレスなどの導体にてクリップ状に形成されたホルダ部５１を示す平面図であり、図５（ｂ）は、このホルダ部５１に前記通信ユニット３１が取着された状態を示す正面図である。同図に示されるように、このホルダ部５１は、衣服が挟めるようにばね力を有して両端が折り返されるとともに、円形に拡張されたその一端には前記ホルダ側係合孔３３ａに準じたホルダ側係合孔５１ａが形成されている。従って、前記オーナメント３２の取着された通信ユニット３１は、このホルダ部５１に対しても、ホルダ部３３と同様に着脱自在とされる。そして、ユーザは、このクリップ状のホルダ部５１に前記通信ユニット３１を取着したものを携帯機５２として携帯することができる。
【００３８】
図６は、ユーザによる携帯機５２の各種携帯態様を示す模式図である。同図に示されるように、携帯機５２のホルダ部５１は、衣服５３の襟に装着されることで首に接触し、あるいは、衣服５３の裾に装着されることで下腹に接触し、あるいは、衣服５３の袖に装着されることで腕に接触する。従って、上述したいずれの携帯態様であっても、ホルダ部５１が人体に接触することで前述した生体通信が可能となる。衣服５３への装着位置は上記に限定されるものではなく、ホルダ部５１が人体に接触するのであれば、衣服５３の任意の位置でよい。
【００３９】
また、図７（ａ）は、ネックレス状に形成されたホルダ部５６を示す平面図であり、図７（ｂ）は、このホルダ部５６に前記通信ユニット３１が取着された状態を示す正面図である。同図に示されるように、このホルダ部５６は、ステンレスなどの導体にて円形に形成された本体部５７と、同本体部５７から湾状に折り返されるように形成された取付部５７ａに挿通される鎖状の首輪５８とを備えている。なお、首輪５８も、ステンレスなどの導体にて形成されている。そして、本体部５７には、前記ホルダ側係合孔３３ａに準じたホルダ側係合孔５７ｂが形成されている。従って、前記オーナメント３２の取着された通信ユニット３１は、このホルダ部５６（本体部５７）に対しても、ホルダ部３３と同様に着脱自在とされる。そして、ユーザは、このネックレス状のホルダ部５６に前記通信ユニット３１を取着したものを携帯機５９として携帯することができる。
【００４０】
図８は、ユーザによる携帯機５９の携帯態様を示す模式図である。同図に示されるように、携帯機５９のホルダ部５６（首輪５８）は、ユーザの首に装着されることでこれに接触し、前述した生体通信が可能となる。なお、この携帯機５９では、衣服の中に隠すことで服装への影響を抑制することもできる。
【００４１】
さらに、図９（ａ）は、耳の付け根に引っ掛けられるようにイヤーフック状に形成されたホルダ部６１を示す正面図であり、図９（ｂ）は、このホルダ部６１に前記通信ユニット３１が取着された状態を示す側面図である。同図に示されるように、このホルダ部６１は、ステンレスなどの導体にてＳ字状に形成されるとともに、円形に拡張されたその一端には前記ホルダ側係合孔３３ａに準じたホルダ側係合孔６１ａが形成されている。従って、前記オーナメント３２の取着された通信ユニット３１は、このホルダ部６１に対しても、ホルダ部３３と同様に着脱自在とされる。そして、ユーザは、このイヤーフック状のホルダ部５１に前記通信ユニット３１を取着したものを携帯機６２として携帯することができる。
【００４２】
図１０は、ユーザによる携帯機６２の携帯態様を示す模式図である。同図に示されるように、携帯機６２のホルダ部６１は、ユーザの耳６３に装着されることでこれに接触し、前述した生体通信が可能となる。
【００４３】
以上詳述したように、本実施形態によれば、前記第１の実施形態における（１）（４）〜（６）の効果に加えて以下に示す効果が得られるようになる。
（１）本実施形態では、前記通信ユニット３１は、前記ホルダ側係合孔３３ａ，５１ａ，５７ｂ，６１ａ及びホルダ側係合孔に挿通された前記ユニット側係合片４３ｂ間の相対回動に伴い同ユニット側係合片４３ｂが前記ホルダ側係合孔３３ａ，５１ａ，５７ｂ，６１ａの周縁部に係止されて、前記ホルダ部３３，５１，５６，６１から抜け止めされることで前記ホルダ部からの脱落が防止される。このように、前記通信ユニット３１を、前記ホルダ部３３，５１，５６，６１に対して簡単に着脱することができる。
【００４４】
（２）本実施形態では、前記ロアケース４３（電極）又はこれに短絡された前記ホルダ部３３，５１，５６，６１を接触させるべく、ユーザの人体に密着して装着される携帯機３０，５２，５９，６２（ホルダ部）の、携帯時のスタイルの自由度を増大することができる。
【００４５】
なお、上記実施形態は以下のように変更してもよい。
・前記第１の実施形態において、ホルダ部の選択肢として、互いに意匠（形状、模様、色彩）が異なる複数のベルト状のホルダ部を用意してもよい。あるいは、ホルダ部の選択肢として、ブレスレット状のホルダ部を用意してもよい。また、このブレスレット状のホルダ部の選択肢として、互いに意匠が異なる複数のホルダ部を用意してもよい。あるいは、前記通信ユニット１１の電極２４が人体に接触し得るのであれば、ホルダ部の選択肢として、ネックレス状のホルダ部を用意し、ユーザの首に装着させてもよい。また、このネックレス状のホルダ部の選択肢として、互いに意匠が異なる複数のホルダ部を用意してもよい。
【００４６】
・前記第２の実施形態において、ブレスレット状、クリップ状、ネックレス状又はイヤーフック状の各ホルダ部の選択肢として、互いに意匠（形状、模様、色彩）が異なる複数のホルダ部を用意してもよい。あるいは、ホルダ部の選択肢として、ベルト状のホルダ部を用意してもよい。また、このベルト状のホルダ部の選択肢として、互いに意匠が異なる複数のホルダ部を用意してもよい。
【００４７】
・前記第２の実施形態において、通信ユニット及びホルダ部は、ボルト−ナットの締結構造で着脱自在としてもよい。
・前記第２の実施形態において、通信ユニット３１の外面４１ｂ及びホルダ部３３との間に、これらを係合させる適宜の係止手段を設けてもよい。
【００４８】
・前記各実施形態において、オーナメント１２，３２は、自前の写真等を挿入できるものであってもよい。
・本発明において、身体とは、人体及びこれに着用される衣服等を含む概念である。
【００４９】
・携帯機（通信ユニット）は、外部操作機器の通信装置との間で無線通信を行うものであってもよい。この場合、人体への接触を要する各電極が不要になることはいうまでもない。
【００５０】
・本発明は、車室内に持ち込まれた携帯機（通信ユニット）と車両に搭載された外部操作機器の通信装置との間での生体通信又は無線通信によるＩＤコードの照合によってエンジンを始動又は停止させるエンジンスタート・ストップシステムに適用してもよい。
【００５１】
次に、上記実施形態及び別例から把握できる技術的思想について以下に追記する。
・ユーザの人体に接触するようにユーザの身体に装着され、ユーザが外部操作機器の通信装置の電極に接触することで、当該通信装置との間で人体を媒体とする通信を行う携帯機において、ユーザの身体に装着可能なホルダ部と、該ホルダ部に対して着脱自在な通信ユニットとを備えたことを特徴とする携帯機。
【図面の簡単な説明】
【００５２】
【図１】本発明の第１の実施形態を示す部分断面図。
【図２】同実施形態を示す分解斜視図。
【図３】（ａ）（ｂ）は、本発明の第２の実施形態を示す正面図及び平面図。
【図４】同実施形態を示す分解斜視図。
【図５】（ａ）（ｂ）は、クリップタイプを示す平面図及び正面図。
【図６】ユーザによる携帯機の携帯態様を示す模式図。
【図７】（ａ）（ｂ）は、ネックレスタイプを示す平面図及び正面図。
【図８】ユーザによる携帯機の携帯態様を示す模式図。
【図９】（ａ）（ｂ）は、イヤーフックタイプを示す正面図及び側面図。
【図１０】ユーザによる携帯機の携帯態様を示す模式図。
【符号の説明】
【００５３】
１０，３０，５２，５９，６２…携帯機、１１，３１…通信ユニット、１２，３２…装飾部としてのオーナメント、１３，３３，５１，５６，６１…ホルダ部、１３ａ…収容凹部、１３ｂ，１３ｃ…係止部、２１ａ，４１ｂ…外面、２４…電極、３３ａ，５１ａ，５７ｂ，６１ａ…ホルダ側係合孔、４３…電極をなすロアケース、４３ａ…ユニット側係合片。
【図１】
2007063818.tif 000003
【図２】
2007063818.tif 000004
【図３】
2007063818.tif 000005
【図４】
2007063818.tif 000006
【図５】
2007063818.tif 000007
【図６】
2007063818.tif 000008
【図７】
2007063818.tif 000009
【図８】
2007063818.tif 000010
【図９】
2007063818.tif 000011
【図１０】
2007063818.tif 000012